【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
合成樹脂製シートによって左右両側に折り込み部を有する袋状に形成されており、上部に、合成樹脂製のスパウトが、表裏２枚のシートに挟まれた状態で溶着されたスパウト付きガゼット袋であって、
前記合成樹脂シートが、熱接着性フィルムとして直鎖状低密度ポリエチレンフィルムを積層してなる積層フィルムであり、
前記折り込み部が、二つ折りされた一定の幅を有する定幅部分の上部に、その定幅部分より幅の狭い幅狭部分を設けたものであり、
その幅狭部分の上部の端縁が傾斜状になっており、その傾斜端縁に、合成樹脂製のスパウトが溶着されているとともに、
左右両サイドがヒートシールされており、それらの側方シール部の下端際が、内向きの傾斜状になっており、かつ、
前記側方シール部の前記折り込み部の幅狭部分の外側に相当する部分に、他の部分より幅広なシール強化部が設けられており、かつ、
前記傾斜端縁の設置側の側方シール部の上端際が、表裏２枚のシートを直接にヒートシールした状態になっており、なおかつ、その表裏２枚のシートを直接にヒートシールした部分において、傾斜端縁のシール部分と側方シール部の上端際の部分とが重なり合った状態になっているとともに、
前記折り込み部の幅狭部分が、二つ折りされた前記定幅部分の上端際を斜めに折り曲げることによって形成されたもの、あるいは、二つ折りされた前記定幅部分の上端際を水平断面がＭ字状になるように中側へ斜めに折り曲げることによって形成されたものであり、かつ、
前記シール強化部の上端が、その幅狭部分の折り曲げ稜線より上側に位置していることを特徴とするスパウト付きガゼット袋。
【請求項２】
左右両サイドの側方シール部の下端際が、上方から下方にかけて次第に幅広になっていることを特徴とする請求項１に記載のスパウト付きガゼット袋。
【請求項３】
合成樹脂製シートによって左右両側および下部に折り込み部を有する袋状に形成されており、上部に、合成樹脂製のスパウトが、表裏２枚のシートに挟まれた状態で溶着されたスパウト付きガゼット袋であって、
前記合成樹脂シートが、熱接着性フィルムとして直鎖状低密度ポリエチレンフィルムを積層してなる積層フィルムであり、
前記折り込み部が、二つ折りされた一定の幅を有する定幅部分の上部に、その定幅部分より幅の狭い幅狭部分を設けたものであり、
その幅狭部分の上部の端縁が傾斜状になっており、その傾斜端縁に、合成樹脂製のスパウトが溶着されているとともに、
左右両サイドがヒートシールされており、それらの側方シール部の前記折り込み部の幅狭部分の外側に相当する部分に、他の部分より幅広なシール強化部が設けられており、かつ、
前記傾斜端縁の設置側の側方シール部の上端際が、表裏２枚のシートを直接にヒートシールした状態になっており、なおかつ、その表裏２枚のシートを直接にヒートシールした部分において、傾斜端縁のシール部分と側方シール部の上端際の部分とが重なり合った状態になっているとともに、
前記折り込み部の幅狭部分が、二つ折りされた前記定幅部分の上端際を斜めに折り曲げることによって形成されたもの、あるいは、二つ折りされた前記定幅部分の上端際を水平断面がＭ字状になるように中側へ斜めに折り曲げることによって形成されたものであり、かつ、
前記シール強化部の上端が、その幅狭部分の折り曲げ稜線より上側に位置していることを特徴とするスパウト付きガゼット袋。
【請求項４】
前記傾斜端縁の設置側と反対側の側方シール部の上端際が、表裏２枚のシートを直接にヒートシールした状態になっており、
その表裏２枚のヒートシールした部分と前記傾斜端縁との間に開口部が形成されていることを特徴とする請求項１〜３のいずれかに記載のスパウト付きガゼット袋。
【請求項５】
前記傾斜端縁を一定幅にヒートシールすることによって表裏２枚のシートの間にスパウトが溶着されているとともに、
その傾斜端縁のヒートシール部分の内側の端縁が鉛直状になっており、傾斜端縁の設置側と反対側の側方シール部の上端際の内側の端縁と平行になっていることを特徴とする請求項１〜４のいずれかに記載のスパウト付きガゼット袋。
【手続補正２】
【補正対象書類名】明細書
【補正対象項目名】０００７
【補正方法】変更
【補正の内容】
【０００７】
本発明の内、請求項１に記載された発明は、合成樹脂製シートによって左右両側に折り込み部を有する袋状に形成されており、上部に、合成樹脂製のスパウトが、表裏２枚のシートに挟まれた状態で溶着されたスパウト付きガゼット袋であって、前記合成樹脂シートが、熱接着性フィルムとして直鎖状低密度ポリエチレンフィルムを積層してなる積層フィルムであり、前記折り込み部が、二つ折りされた一定の幅を有する定幅部分の上部に、その定幅部分より幅の狭い幅狭部分を設けたものであり、その幅狭部分の上部の端縁が傾斜状になっており、その傾斜端縁に、合成樹脂製のスパウトが溶着されているとともに、左右両サイドがヒートシールされており、それらの側方シール部の下端際が、内向きの傾斜状になっており、かつ、前記側方シール部の前記折り込み部の幅狭部分の外側に相当する部分に、他の部分より幅広なシール強化部が設けられており、かつ、前記傾斜端縁の設置側の側方シール部の上端際が、表裏２枚のシートを直接にヒートシールした状態になっており、なおかつ、その表裏２枚のシートを直接にヒートシールした部分において、傾斜端縁のシール部分と側方シール部の上端際の部分とが重なり合った状態になっているとともに、前記折り込み部の幅狭部分が、二つ折りされた前記定幅部分の上端際を斜めに折り曲げることによって形成されたもの、あるいは、二つ折りされた前記定幅部分の上端際を水平断面がＭ字状になるように中側へ斜めに折り曲げることによって形成されたものであり、かつ、前記シール強化部の上端が、その幅狭部分の折り曲げ稜線より上側に位置していることを特徴とするものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項３に記載された発明は、合成樹脂製シートによって左右両側および下部に折り込み部を有する袋状に形成されており、上部に、合成樹脂製のスパウトが、表裏２枚のシートに挟まれた状態で溶着されたスパウト付きガゼット袋であって、前記合成樹脂シートが、熱接着性フィルムとして直鎖状低密度ポリエチレンフィルムを積層してなる積層フィルムであり、前記折り込み部が、二つ折りされた一定の幅を有する定幅部分の上部に、その定幅部分より幅の狭い幅狭部分を設けたものであり、その幅狭部分の上部の端縁が傾斜状になっており、その傾斜端縁に、合成樹脂製のスパウトが溶着されているとともに、左右両サイドがヒートシールされており、それらの側方シール部の前記折り込み部の幅狭部分の外側に相当する部分に、他の部分より幅広なシール強化部が設けられており、かつ、前記傾斜端縁の設置側の側方シール部の上端際が、表裏２枚のシートを直接にヒートシールした状態になっており、なおかつ、その表裏２枚のシートを直接にヒートシールした部分において、傾斜端縁のシール部分と側方シール部の上端際の部分とが重なり合った状態になっているとともに、前記折り込み部の幅狭部分が、二つ折りされた前記定幅部分の上端際を斜めに折り曲げることによって形成されたもの、あるいは、二つ折りされた前記定幅部分の上端際を水平断面がＭ字状になるように中側へ斜めに折り曲げることによって形成されたものであり、かつ、前記シール強化部の上端が、その幅狭部分の折り曲げ稜線より上側に位置していることを特徴とするものである。
【手続補正５】
【補正対象書類名】明細書
【補正対象項目名】００１１
【補正方法】変更
【補正の内容】
【００１１】
請求項４に記載された発明は、請求項１〜３のいずれかに記載された発明において、前記傾斜端縁の設置側と反対側の側方シール部の上端際が、表裏２枚のシートを直接にヒートシールした状態になっており、その表裏２枚のヒートシールした部分と前記傾斜端縁との間に開口部が形成されていることを特徴とするものである。
【手続補正６】
【補正対象書類名】明細書
【補正対象項目名】００１２
【補正方法】変更
【補正の内容】
【００１２】
請求項５に記載された発明は、請求項１〜４のいずれかに記載された発明において、前記傾斜端縁を一定幅にヒートシールすることによって表裏２枚のシートの間にスパウトが溶着されているとともに、その傾斜端縁のヒートシール部分の内側の端縁が鉛直状になっており、傾斜端縁の設置側と反対側の側方シール部の上端際の内側の端縁と平行になっていることを特徴とするものである。
【手続補正７】
【補正対象書類名】明細書
【補正対象項目名】００１３
【補正方法】削除
【補正の内容】
【手続補正８】
【補正対象書類名】明細書
【補正対象項目名】００１６
【補正方法】変更
【補正の内容】
【００１６】
請求項１，３に記載のスパウト付きガゼット袋は、折り込み部の幅狭部分が合成樹脂シートを多重に折り畳んで形成されている場合でも、その幅狭部分のヒートシール強度がシール強化部によって高められているので、充填した内容物が幅狭部分から漏洩する等の事態が生じない。
【手続補正９】
【補正対象書類名】明細書
【補正対象項目名】００１７
【補正方法】変更
【補正の内容】
【００１７】
請求項３に記載のスパウト付きガゼット袋は、上部に形成された傾斜端縁にスパウトが設けられているので、大きな角度で傾斜させなくても内容物を容易に抽出することができる。その上、スパウトが左右のいずれかに寄っているので、内容物が残り少なくなった場合でも転倒しにくい。また、上端縁以外の周縁を先にヒートシールすることによって袋状物を形成した後に、内容物を充填して上端縁をヒートシールする、という内容物の充填密封方法を採用することができるため、内容物の充填の前後で上下をひっくり返す必要がなくなるので、製造ラインを安価かつシンプルに構成することが可能となる。また、スパウトを固着した傾斜端縁の下側に幅狭な空間が形成されないので、残り少なくなった内容物を滞留させることなく最後までスムーズに抽出することができる。さらに、下部にも折り込み部が設けられているので、内容物を充填した場合に、当該下部の折り込み部が拡がって水平面を形成するため、きわめて安定した状態で起立させることができる。
【手続補正１０】
【補正対象書類名】明細書
【補正対象項目名】００１８
【補正方法】変更
【補正の内容】
【００１８】
請求項４に記載のスパウト付きガゼット袋は、上端の開口部の周囲に折り込み部が存在しない状態になっているため、開口部から内容物を充填する際に、内容物充填用のノズル等が左右の折り込み部に接触する事態（すなわち、左右の折り込み部が内容物充填用のノズル等に干渉する事態）が生じないので、非常に容易に、かつ効率的に内容物を充填することができる。
【手続補正１１】
【補正対象書類名】明細書
【補正対象項目名】００１９
【補正方法】変更
【補正の内容】
【００１９】
請求項５に記載のスパウト付きガゼット袋は、傾斜端縁のヒートシール部分の内側の端縁が鉛直状になっているため、上端の開口部から内容物を充填する際に、その内側の端縁部分が剥離してしまう事態が起こりにくく、内容物を充填した状態で密封のし損ないを生じさせることなく歩留まり良く密封することができる。
【手続補正１２】
【補正対象書類名】明細書
【補正対象項目名】００２０
【補正方法】変更
【補正の内容】
【００２０】
請求項１，３に記載のスパウト付きガゼット袋は、傾斜端縁の設置側の側方シール部の上端際が、表裏２枚のシートを直接にヒートシールした状態になっており、ヒートシール強度が高くなっているため、内容物を充填する際や、内容物を充填した状態で落下した際に、その表裏のシートの直接的な接合部分で圧力を吸収して、左右の折り込み部の上端際（幅狭部分の上端際）の部分（すなわち、ヒートシール強度の低い部分）に圧力を集中させないので、破裂してしまう事態を効果的に防止することができる。